(57)【特許請求の範囲】
【請求項１】
複数の開閉器と複数の電圧検出装置とを含む受変電設備の操作を中央監視設備で支援する受変電設備操作支援システムにおいて、
前記中央監視設備とは別に、運搬可能なモバイル端末または前記開閉器の近傍に設置された現場監視装置を有し、
前記モバイル端末または前記現場監視装置は、
前記受変電設備上の前記開閉器および前記電圧検出装置から、前記開閉器の入切状態、および、前記開閉器を収納する筐体から前記開閉器が引き出されているか否かの引出状態のパラメータを取得して、それらのパラメータおよび前記受変電設備上の回路に基づいて、前記開閉器が前記筐体に対し接続位置にあり、かつ前記開閉器が入状態である場合に、前記開閉器は接続状態にあると判定し、前記開閉器が前記筐体に対し引出位置にあり、かつ前記開閉器が入状態である場合、並びに、前記開閉器が前記筐体に対し接続位置にあり、かつ前記開閉器が切状態である場合に、前記開閉器は非接続状態にあると判定し、前記受変電設備上の前記複数の開閉器で区切られた回路単位の電圧の有無を判別する演算部と、
前記演算部が判別した前記受変電設備上の前記開閉器で区切られた回路単位の電圧の有無を表示する表示部と、を有すること、
を特徴とする受変電設備操作支援システム。
【請求項２】
前記演算部は、前記電圧検出装置の電圧検出状態のパラメータを取得し、前記電圧検出装置が電圧を検出した前記二つの開閉器で区切られた回路および当該回路と入状態の開閉器で接続された回路を電圧が有ると判別すること、を特徴とする請求項１に記載の受変電設備支援システム。
【請求項３】
前記演算部は、前記開閉器の一次側および二次側の両方または一方の電圧の有無を判別し、前記表示部は、前記演算部が判別した前記開閉器の一次側および二次側の両方または一方の電圧の有無を表示すること、を特徴とする請求項１または２に記載の受変電設備操作支援システム。
【請求項４】
前記現場監視装置は、前記開閉器の操作機構近傍に設置されること、を特徴とする請求項１乃至３のいずれか１項に記載の受変電設備操作支援システム。
【請求項５】
前記演算部は、前記開閉器が操作命令を受け付けた後、当該操作を実行する前に、前記開閉器の入切状態、および、前記開閉器の引出状態、並びに、前記電圧検出装置の電圧検出状態のパラメータ、および、操作を受け付ける前記開閉器の操作後のパラメータに基づいて、操作後の前記受変電設備の状態を演算して推定し、前記表示部に表示すること、を特徴とする請求項１乃至４のいずれか１項に記載の受変電設備操作支援システム。
【請求項６】
前記演算部は、前記受変電設備の操作を仮想的に行う訓練モードが選択された場合に、保守切り替えのための連続した前記開閉器の操作に応じた前記受変電設備の状態の推移を模擬的に演算して、当該状態の推移を前記表示部に表示させること、を特徴とする請求項１乃至５のいずれか１項に記載の受変電設備操作支援システム。
【発明の詳細な説明】
【技術分野】
【０００１】
本発明の実施形態は、複数の開閉器と複数の電圧検出装置とを含む受変電設備の操作を支援する受変電設備操作支援システムに関する。
【背景技術】
【０００２】
従来、受変電設備は、各負荷設備へ電力を配電する機能を有する。受変電設備を構成する機器には、遮断器、断路器、負荷開閉器などの多くの開閉器がある。一般に、開閉器はシステム上、分岐路となる箇所に設置される。事故時の自動遮断の他、保守時等に、これらの開閉器のオンオフ操作を実行する。保守を開始する場合は、開閉器のオフ操作を実行して、システムの回路や設備を停電状態に導き、保守が終わった場合は、開閉器のオン操作を実行して、活線状態に導く。
【０００３】
開閉器によっては、引出機構を有しているものがある。引出機構とは、開閉器本体を回路から簡易に切り離せる機構であり、一般に、点検や試験、機器更新を容易にするために採用される。引出位置では、開閉器は、主回路と電気的に切り離された状態となるが、開閉器の制御機構は試験のため接続された状態を維持することが可能である。このため、開閉器が引出位置にある場合は、回路上は切で、開閉器自身は入の状態となるケースがある。
【０００４】
また、回路における電圧の有無を検出する装置として、計器用変圧器（ＶＴ）や接地形計器用変圧器（ＥＶＴ）、電圧検出器（ＶＤ）などがある。これらの電圧検出装置は、一般に回路電圧の有無を検出し、検出した回路電圧の有無は、系統を切り替えたり、発電機を起動したりするためのトリガ信号に用いられる。
【先行技術文献】
【特許文献】
【０００５】
【特許文献１】特開平１１−２７３５３８号公報
【発明の概要】
【発明が解決しようとする課題】
【０００６】
一方、設備保守の観点から見た場合、開閉器で区分された個々の回路毎に、電圧を検出する装置が設けられていることが望ましい。しかし、費用面から一部の回路の適用に留まっていることが多い。したがって、保守員が、システム上に設置された電圧検出装置の電圧の有無の情報と、開閉器のオンオフの情報とから、任意の回路における活線状態または停電状態の判断や、操作しようとする回路の状態の推定を行わなければならない。しかし、システムが複雑である場合には、システムの回路の状態を誤って推定してしまう場合がある。システムが複雑になると、この様相は顕著になり、開閉器の入切操作後の各回路の電圧有無が予測し辛くなる。また、開閉器が引出位置にある場合は、回路上は切で、開閉器自身は入の状態となるケースがある。そのため、引出位置では、開閉器のオンオフ状態とは無関係にシステム上非接続状態となるため、その判断を一層難しくしている。
【０００７】
本発明の実施形態は、上記のような従来技術の問題点を解決するために提案されたものである。その目的は、保守時に受変電設備の回路状況を簡単に把握できる受変電設備操作支援システムを提供することである。
【課題を解決するための手段】
【０００８】
上記のような目的を達成するための実施形態の受変電設備操作支援システムは、複数の開閉器と複数の電圧検出装置とを含む受変電設備の操作を中央監視設備で支援する受変電設備操作支援システムにおいて、前記中央監視設備とは別に、運搬可能なモバイル端末または前記開閉器の近傍に設置された現場監視装置を有し、前記モバイル端末または前記現場監視装置は、前記受変電設備上の前記開閉器および前記電圧検出装置から、前記開閉器の入切状態、および、前記開閉器を収納する筐体から前記開閉器が引き出されているか否かの引出状態のパラメータを取得して、それらのパラメータおよび前記受変電設備上の回路に基づいて、前記開閉器が前記筐体に対し接続位置にあり、かつ前記開閉器が入状態である場合に、前記開閉器は接続状態にあると判定し、前記開閉器が前記筐体に対し引出位置にあり、かつ前記開閉器が入状態である場合、並びに、前記開閉器が前記筐体に対し接続位置にあり、かつ前記開閉器が切状態である場合に、前記開閉器は非接続状態にあると判定し、前記受変電設備上の前記複数の開閉器で区切られた回路単位の電圧の有無を判別する演算部と、前記演算部が判別した前記受変電設備上の前記開閉器で区切られた回路単位の電圧の有無を表示する表示部と、を有する。
【図面の簡単な説明】
【０００９】
【図１】第１の実施形態の受変電設備操作支援システムを適用する受変電設備の構成図である。
【図２】第１の実施形態の受変電設備操作支援システムの部分構成図である。
【図３】第１の実施形態の受変電設備操作支援システムにおける開閉器の電圧の有無の表示例を示す図である。
【図４】第１の実施形態の受変電設備操作支援システムの表示例を示す図である。
【図５】第１の実施形態の受変電設備操作支援システムにおいて、受変電設備の停電制御の表示例を示す図である。
【図６】第１の実施形態の受変電設備操作支援システムにおいて、受変電設備の停電制御の表示例を示す図である。
【図７】第１の実施形態の受変電設備操作支援システムにおいて、受変電設備の停電制御の表示例を示す図である。
【図８】第１の実施形態の受変電設備操作支援システムにおいて、受変電設備の停電制御の表示例を示す図である。
【図９】第１の実施形態の受変電設備操作支援システムにおいて、受変電設備の主変圧器二次ＣＢ開放前の復電制御の表示例を示す図である。
【図１０】第１の実施形態の受変電設備操作支援システムにおいて、受変電設備の主変圧器二次ＣＢ開放前の復電制御の表示例を示す図である。
【図１１】第１の実施形態の受変電設備操作支援システムにおいて、受変電設備の主変圧器二次ＣＢ開放後の復電制御の表示例を示す図である。
【図１２】第１の実施形態の受変電設備操作支援システムにおいて、受変電設備の主変圧器二次ＣＢ開放後の復電制御の表示例を示す図である。
【発明を実施するための形態】
【００１０】
［第１の実施形態］
［１．構成］
（システムの全体構成）
以下、本発明の第１の実施形態について、図面を参照して説明する。図１は、本実施形態の受変電設備操作支援システム１を適用する受変電設備２の一例の構成図である。図２は、本実施形態の受変電設備操作支援システム１の構成図である。本実施形態の受変電設備操作支援システム１は、複数の開閉器３と複数の電圧検出装置４とを含む受変電設備２の操作を主に中央監視設備５で支援するものである。
【００１１】
受変電設備操作支援システム１は、中央監視設備２とは別に開閉器３の近傍に配置されたインタフェースに接続された現場監視装置６を有する。現場監視装置６は、リモートステーション盤７（ＲＳ盤）を経由して中央監視設備５に制御線で接続される。現場監視装置６は、受変電設備２上の回路の各部に複数が設置される。すなわち、受変電設備２は、複数の開閉器３によって区切られた回路を複数個組み合わせることで構成されており、各回路には、開閉器、変圧器、変圧器変流器、電圧検出装置などの機器が設けられている。現場監視装置６は、受変電設備２の各回路に設けられ、各回路の電圧検出装置４からの信号により、各回路の活線状態を判定する。
【００１２】
以下、そのような回路の構成例を説明する。受変電設備２は、電力会社から電力を供給される主系統１０−１，１０−２が並列に配置される。主系統１０−１には、上流から下流へ開閉器３−１−１、変圧変流器１１、開閉器３−２−１、変圧器１２−１、変圧器の電圧検出装置１３−１（不足電圧継電器）、開閉器３−３−１が順に配置される。主系統１０−２には、上流から下流へ開閉器３−１−２、断路器１８−１〜１８−１１、開閉器３−２−２、変圧器１２−２、変圧器の電圧検出装置１３−２（不足電圧継電器）、開閉器３−３−１が順に配置される。そして、主系統１０−１，１０−２は、下流で開閉器３−４−１，３−４−２を介して接続される。
【００１３】
また、主系統１０−１，１０−２の下流で、高圧母線１４−１，１４−２に分岐し、高圧母線１４−１は、各分岐が開閉器３−５−１〜３−５−１１を有し、高圧母線１４−２は、各分岐が開閉器３−６−１〜３−６−１１を有する。また、高圧母線１４−２は、発電機１７−１，１７−２に接続され、発電機１７−１，１７−２は、高圧母線１４−１，１４−２との間に開閉器３−７−１〜３−７−５，３−８−１，３−８−２が配置される。また、主系統１０−１，１０−２の最下流には、それぞれ接地形計器用変圧器の電圧検出装置１９−１，１９−２が設置される。
【００１４】
図１（ｂ）における開閉器３は、真空遮断器（ＶＣＢ）、断路器（ＤＳ）、高圧交流負荷開閉器（ＬＢＳ）、配線用遮断器（ＭＣＣＢ）などである。真空遮断器（ＶＣＢ）は、高真空の容器に電極を収めた構造をしており、高真空中で電流の遮断を行う。断路器（ＤＳ）は、高圧や特別高圧の電路に組み込まれた開閉器であり、無負荷状態の回路を開き、無電圧状態にする。高圧交流負荷開閉器（ＬＢＳ）は、通常使用している負荷電流の開閉ができる開閉器であり、気中開閉器などである。配線用遮断器（ＭＣＣＢ）は、過負荷や短絡などの要因で二次側の回路に異常な過電流が流れたときに電路を開放し、一次側からの電源供給を遮断することにより負荷回路や電線を損傷から保護する。これらは、ここではすべて開閉器と呼称する。
【００１５】
開閉器３は、筐体への引出機構を有し、複数が筐体に差し込まれて使用されるものである。保守員等が開閉器を保守したい場合には、開閉器３は、筐体から引き出され、引出位置にまで引き出されて、受変電設備５上の回路と非接続となった状態で、保守がなされる。そして、保守が終わった場合には、開閉器３は、筐体に差し込まれ、接続位置にまで挿入されて、開閉器３が受変電設備５上の回路と接続の状態とされる。
【００１６】
開閉器３は、筐体における引出位置にあるか接続位置にあるかのパラメータ、および、開閉器３のスイッチがオンであるかオフであるかのパラメータを現場監視装置６、リモートステーション盤７、および、中央監視設備５に送信する。開閉器３は、引出位置にある状態で、制御線に接続することが可能であり、その状態で保守等が行われる。
【００１７】
開閉器３が引出位置にあるか否かのパラメータは、開閉器３自体の位置をスイッチやセンサで検出して判定しても良いし、開閉器３を引出位置に移動させた保守員がその開閉器が接続されている現場監視装置６に対して手動で入力しても良い。また、現場監視装置６が制御線で中央監視設備２と接続されている場合には、中央監視設備２が各開閉器３から受信した引出位置にあるか否かの情報を、中央監視設備２から現場監視装置６に送信しても良い。
【００１８】
図３は、本実施形態の受変電設備操作支援システムにおける開閉器の電圧の有無の表示例を示す図である。図３に示すように、開閉器３は、その扉部分などに液晶ディスプレイや表示灯などの表示部を備え、この表示部に、開閉器３のオンオフ情報と、一次側電圧と二次側電圧との有無とが表示される。
【００１９】
電圧検出装置４は、計器用変圧器（ＶＴ）、接地形計器用変圧器（ＥＶＴ）、電圧検出器（ＶＤ）などである。計器用変圧器（ＶＴ）は、停電しているか否かを判別するのに使用される。また、比較的小さな電圧を計測するために使用される。接地形計器用変圧器（ＥＶＴ）は、基本的に、計器用変圧器と同様であるが、零相電圧検出など特殊な用途に使用される。電圧検出器（ＶＤ）は、電力会社からの送電電圧の有無を検出し、各現場監視装置６、リモートステーション盤７、および、中央監視設備５に送信し、送信されたデータは系統の切り替え等に使用される。なお、これらの電圧検出装置４は、本実施形態においてはすべて同様に表記する。
【００２０】
電圧検出装置４のうちで、電圧検出器（ＶＤ）は、電圧を検出した場合は、パラメータとしてオン信号を送信し、電圧を検出しない場合は、オフ信号を送信する。計器用変圧器（ＶＴ）および接地形計器用変圧器（ＥＶＴ）は、二次電圧を検出する不足電圧継電器がオフ情報を検出した場合に、電圧検出「有」としてオン信号を送信し、不足電圧継電器がオン情報を検出した場合に、電圧検出「無」としてオフ信号を送信する。
【００２１】
中央監視設備５は、受変電設備２の各部から情報を取得し、それらの情報に演算を加えたものを、自己が有するディスプレイなどの出力装置を利用して保守員等に提供する。中央監視設備５は、自己が所有する入力装置を利用して受信した保守員等の命令や予め定められたアルゴリズム等に従って、受変電設備２全体を制御する。
【００２２】
複数のリモートステーション盤７（ＲＳ盤）は、中央監視設備５に至る配線の中継点となる場所に設置される機器であり、受変電設備２の各部の現場監視装置６と中央監視設備５とを接続し、電圧検出装置４が検出した電圧有無の情報や開閉器３のオンオフ情報や引出・接続位置の情報や受変電設備２全体の回路の情報等の各種データの送受信を行う。
【００２３】
（現場監視装置６の構成）
現場監視装置６は、記憶部６１と操作部６２と表示部６３と演算部６４とを有する。
【００２４】
演算部６４は、ＰＬＣ（プログラマブルコントローラ）等であり、処理として表示画面制御処理６４１と回路状態判定処理６４２と訓練・通常モード選択処理６４３とを行う。演算部６４は、回路状態判定処理６４２として、受変電設備５上の開閉器３および電圧検出装置４から開閉器３の接続状態および引出状態並びに電圧検出装置４の電圧検出状態のパラメータを取得し、コントローラのパラメータに基づいて、受変電設備５上の開閉器３で区切られた回路単位の電圧の有無を判別する。パラメータには、電圧検出装置４による電圧の有無の情報や、開閉器３の入・切情報や、引出機構の接続・引出位置の情報がある。演算部６４は、開閉器３で区分された回路の電圧の有無を以下のパラメータからシーケンサ等で演算することで、開閉器３で区切られた回路単位の電圧有無表示を可能とする。演算部６４は、開閉器３の接続状態を下記の表１に従って判定する。具体的には、開閉器３が筐体に対する接続位置にあり、かつ、開閉器３のスイッチが入っている場合には、この開閉器３はオンであると判別され、開閉器３が筐体に対する引出位置にある、または、開閉器３のスイッチが切られている場合には、この開閉器はオフであると判別される。また、演算部６４は、電圧検出装置４が電圧を検出した二つの開閉器３で区切られた回路および当該回路と入状態の開閉器３で接続された回路を電圧が有ると判別する。
【００２５】
【表１】
0006659296.tif 000002
【００２６】
また、演算部６４は、開閉器３の一次側および二次側の両方または一方の電圧の有無を判別する。詳述すると、演算部６４は、電圧が有る旨の信号を受信した電圧検出装置４と接続される、開閉器３で区切られた部分の回路を電圧有（活線）とする。また、演算部６４は、開閉器３の状態をオンと判定し、当該開閉器３と接続される回路の上流の電圧がある場合は、当該開閉器３と接続される一次側および二次側の回路を電圧有（活線）と判定する。演算部６４は、開閉器３の状態をオフと判定した場合は、当該開閉器３と接続される二次側の回路を電圧無の状態と判定する。
【００２７】
演算部６４は、表示画面制御処理６４１として、開閉器３がそのオンオフに関する操作命令を受け付けた後、命令実行の前に、操作後の当該受変電設備２の回路状態を演算して推定し、推定結果を表示部６３に表示する。そして、演算部６４は、表示部６３に受け付けた操作命令を実行して良いか否かの確認画面を表示させた後に、ユーザに命令を実行するか否かを選択させ、命令実行が選択された場合は命令実行する。
【００２８】
演算部６４は、訓練・通常モード選択処理６４３として、ユーザの操作部６２を介した操作に応じて、訓練モードまたは通常モードを選択する。訓練モードは、受変電設備の操作をユーザが仮想的に行うもので、ユーザが操作部６２で選択することによって当該モードにすることができる。通常モードは、実際に操作によって受変電設備２が動作するモードである。前記の演算部６４が表示する確認画面は、通常モードにおいてユーザが操作を実行するに当たって、操作実行前にその的確性を確認するために行うものであり、通常モードにおける安全性向上の手段である。
【００２９】
演算部６４は、訓練モードが選択された場合に、保守のための連続した開閉器３の操作に応じた受変電設備２の状態の推移を模擬的に演算して、当該状態の推移を表示部６３に表示させる。
【００３０】
表示部６３は、液晶ディスプレイ等で構成され、演算部６４の制御に基づいて、保守員等に情報を提供するために、演算部６４が判別した受変電設備２上の開閉器３で区切られた回路単位の電圧の有無を表示する。表示部６３は、演算部６４が判別した開閉器３の一次側および二次側の両方または一方の電圧の有無を表示する。開閉器３で区切られた回路単位の電圧有無表示は、太線および細線または色分けで保守員等に分かりやすいように表示される。例えば、電圧がある部分の回路は太線で、電圧がない部分の回路は細線で表示されたりする。この表示は、表示画面制御処理６４１に従って行われる。
【００３１】
記憶部６１は、ハードディスク装置等であり、現場監視装置６を動作させるためのプログラムやデータを記憶する。具体的には、記憶部６１は、演算部６４に表示画面制御処理６４１と回路状態判定処理６４２と訓練・通常モード選択処理６４３とを実行させるためのプログラムおよびデータを記憶する。また、記憶部６１は、中央監視設備５から取得した受変電設備２全体の回路図、または、予め受変電設備２全体の回路図を記憶している。
【００３２】
操作部６２は、キーボードやタッチパネルであり、ユーザの操作を受け付けて、操作命令などを演算部６４に送信する。具体的には、ユーザは、訓練モードと通常モードとを選択したり、保守のために必要な回路図を表示させたりする操作を操作部６２を介して行う。
【００３３】
図４は、本実施形態の受変電設備操作支援システムの表示例を示す図である。図４は、本実施形態の受変電設備操作支援システムにおける開閉器の電圧の有無の表示例を示す図である。表示部６３は、演算部６４の制御に従って、図４に示すように、活線の回路は太線で、停電の回路は細線で回路図を表示する。また、表示部６３は、電圧を検出した電圧検出装置４については、電圧検出している場合は「有」と表示し、電圧検出していない場合は「無」と表示する。
【００３４】
［２．作用］
（通常モード）
図５および図６は、本実施形態の受変電設備操作支援システムにおいて、受変電設備の停電制御の表示例を示す図である。まず、電力会社から主系統１０−１に電力が供給され、開閉器３−１−１はオンの状態、開閉器３−１−２はオフの状態で高圧母線１４−１，１４−２に電力が供給されている状態である。演算部６４は、各開閉器３および各電圧検出装置４から電圧有無情報を取得し、図５（ａ）に示すような回路図を表示部６３に表示させている。保守員等は、表示部６３を見ながら各開閉器３の開放・投入等の操作を行う。なお、活線の回路は、太線で、停電の回路は、細線で表示させている。また、開放された開閉器は、白抜きで表示され、投入された開閉器は、黒で表示されている。また、開閉器において、回路を断線させる動作を開放と、接続させる動作を投入と呼称する。下記の一連の制御における表示部６３への表示は、訓練モードにおけるものであってもよい。これらの操作は、中央監視設備５でも現場監視装置６でも行うことができる。
【００３５】
ここで、主系統１０−１に供給される電力が供給されないという事態が発生する。その場合、すべての回路に電力が供給されない状態となる。すると、各回路に接続されている現場監視装置６は、その回路を構成する開閉器および電圧検出装置からのパラメータに基づいてその演算部６４により回路の各部の電圧や活線状態を判別し、その結果を表示部６３に表示する。この場合、すべての回路には電力が供給されていないので、表示部６３には、図５（ｂ）に示すように、すべての回路が細線で表示される。そこで、中央監視設備５は、開閉器３−５−１〜３−５−１１，３−６−１〜３−６−１１を開放する動作と、主変圧器１３−１，１３−２を稼働させる動作とを行う。
【００３６】
次に、中央監視設備５は、発電機１７−１，１７−２を稼働させ、主系統１０−１側の開閉器３−１−１を開放し、主系統１０−２側の受電が可能であれば、開閉器３−１−２を投入する動作を行う。表示部６３には、図５（ｄ）に示すような回路が表示される。停電から１５秒以内に、主系統１０−２への切り換えが完了した場合には、表示部６３には、図６（ａ）に示すような回路が表示される。そして、主系統の切り換えが成功したので、発電機１７−１，１７−２を停止させる動作を行う。
【００３７】
その後、中央監視設備５は、開閉器３−５−１〜３−５−１１，３−６−１〜３−６−１１を投入する動作を行い、停電時における給電の切り換えが完了する。表示部６３には、図６（ｄ）に示すような回路が表示される。
【００３８】
一方、主系統１０−１，１０−２が両方とも停電し、主系統１０−２への切り換えが不可能である場合を説明する。図７および図８は、本実施形態の受変電設備操作支援システムにおいて、受変電設備の停電制御の表示例を示す図である。
【００３９】
まず、上記と同様に、中央監視設備５は、開閉器３−５−１〜３−５−１１，３−６−１〜３−６−１１を開放させ、主変圧器１３−１，１３−２を稼働させ、発電機１７−１，１７−２を稼働させる。主変圧器１３−１，１３−２を稼働させてから１５秒経過後、中央監視設備５は、開閉器３−３−１，３−３−２を開放させる。この１５秒という時間は、受電停電切換制御および電力供給側の再送時間を考慮したものである。
【００４０】
次に、中央監視設備５は、開閉器３−７−１，３−７−２，３−８−１，３−８−２を投入し、発電機１７−１，１７−２の投入により、高圧母線１４−１，１４−２が復帰する。この時、表示部６３には、図８（ａ）に示すような回路図が表示される。
【００４１】
そして、中央監視設備５は、開閉器３−５−２〜３−５−１１，３−６−１〜３−６−１０を投入し、停電制御が完了し、発電機給電となる。
【００４２】
ここで、受変電設備の主変圧器二次ＣＢ開放前の復電制御を説明する。図９および図１０は、本実施形態の受変電設備操作支援システムにおいて、受変電設備の主変圧器二次ＣＢ開放前の復電制御の表示例を示す図である。
【００４３】
まず、図９（ａ）に示すような回路で、主系統１０−１に電力会社から電力が供給されている状態で、停電が起き、主系統１０−１，１０−２の両方に電力が供給されない事態が発生する。その場合、中央監視設備５は、高圧母線１４−１，１４−２を動作させて、その動作後２秒で、開閉器３−５−１〜３−５−１１，３−６−１〜３−６−１１を開放する。その後、中央監視設備５は、発電機１７−１，１７−２を稼働させる。そして、主変圧器１３−１，１３−２を稼働させてから１５秒経過する前に、つまり、開閉器３−３−１，３−３−２を開放する前に、主系統１０−１，１０−２への復電した場合、表示部６３には、図９（ｄ）に示すような回路図が表示される。その後、図１０（ａ）に示すように、発電機１４−１，１４−２を停止させて、図１０（ｂ）に示すように、開閉器３−５−１〜３−５−１１，３−６−１〜３−６−１１を投入し、復電制御が完了する。
【００４４】
ここで、受変電設備の主変圧器二次ＣＢ開放後の復電制御を説明する。図１１および図１２は、本実施形態の受変電設備操作支援システムにおいて、受変電設備の主変圧器二次ＣＢ開放後の復電制御の表示例を示す図である。
【００４５】
まず、図１１（ａ）に示すように、主系統１０−１，１０−２への電力が停電し、発電機１４−１，１４−２から電力が供給されている状態である。この状態で、主系統１０−１，１０−２への電力が復電し、主変圧器１３−１，１３−２が復帰し、表示部６３には、図１１（ｂ）に示すような回路図が表示される。その後、開閉器３−８−１，３−８−２を開放し、高圧母線１４−１，１４−２が動作する。開閉器３−５−２〜３−５−１１，３−６−１〜３−６−１０を開放し、開閉器３−３−１，３−３−２を投入し、高圧母線１４−１，１４−２が復帰し、表示部６３には、図１２（ａ）に示すような回路図が表示される。発電機１７−１，１７−２を停止させて、開閉器３−５−１〜３−５−１１，３−６−１〜３−６−１１を投入し、復電制御が完了し、表示部６３には、図１２（ｄ）に示すような回路図が表示される。
【００４６】
（訓練モード）
ユーザは、現場監視装置６の操作部６２を操作して、通常モードと訓練モードを選択でき、訓練モードを選択すると、現場監視装置６は、ユーザの操作に応じて仮想的に受変電設備２を動作させる訓練モードを実行する。訓練モードが実行されると、現場監視装置６は、受変電設備２の全体回路図を表示させ、ユーザの開閉器３の仮想的なオンオフ動作に応じた回路を算出して、その回路図を表示させ、さらなるユーザの操作に応じて仮想的な全体回路図を表示する。現場監視装置６が、訓練モードで行う動作は基本的に通常モードと同様であり、基本的に同様の構成を有するが、通常モードと異なり、実際に受変電設備２を動作させることはしない。
【００４７】
［３．効果］
以上のような本実施形態の効果について説明する。受変電設備操作支援システム１は、中央監視設備５とは別に開閉器３の近傍に配置されたインタフェースに接続された現場監視装置６を有する。現場監視装置６は、受変電設備２上の開閉器３および電圧検出装置４から開閉器３の接続状態および引出状態並びに電圧検出装置４の電圧検出状態のパラメータを取得して演算し、受変電設備２上の開閉器３で区切られた回路単位の電圧の有無を判別する演算部６４と、演算部６４が判別した受変電設備２上の開閉器３で区切られた回路単位の電圧の有無を表示する表示部６３とを有する。
【００４８】
したがって、中央監視設備５とは別に、受変電設備２の各部にそれぞれ複数の現場監視装置６が設けられており、保守員等は、現場監視装置６を見ることで受変電設備２の回路状況を把握することができるので、対象回路に電気が流れているか否かを知った上で保守等の作業を行うことができ、安全性が高まる。開閉器３の引出状態、開閉器３の入切状態、および、各電圧検出装置４が検出した電圧の有無に基づいて、それぞれ二つの開閉器３で区切られた回路の電圧の有無を判別して保守員等にその情報を提供するので、保守員等は、保守対象開閉器３の回路の電圧有無を熟知した上で作業をすることができる。
【００４９】
演算部６４は、開閉器３の一次側および二次側の両方または一方の電圧の有無を判別し、表示部６３は、開閉器３の一次側および二次側の両方または一方の電圧の有無を表示する。したがって、開閉器３の保守を行う場合に、保守員等は、容易に、保守対象の開閉器３の一次側二次側の電圧状態を知ることができるので、保守員等に注意喚起を促す事が可能となる。
【００５０】
現場監視装置６は、開閉器３の操作部近傍に設置されるので、ユーザは、開閉器３の操作の際に、現場監視装置６を見て受変電設備２の回路状態を把握することができ、安全性が高まるという利点がある。
【００５１】
演算部６４は、開閉器３が操作される前に、操作後の受変電設備２の状態を演算して推定し、表示部６３に表示する。したがって、開閉器３に対する操作実行前に、実行後の受変電設備２の回路状態を推定して表示するので、操作誤りなどによる予期せぬ状態を未然に防止することが可能となる。
【００５２】
演算部６４は、訓練モードが選択された場合に、保守のための連続した開閉器３の操作に応じた受変電設備２の状態の推移を模擬的に演算して、当該状態の推移を表示部６３に表示させる。したがって、保守切り替えなど連続した任意の開閉器の操作実行をシミュレーションすることで、保守操作等における模擬的な状態確認や訓練を行うことができ、保守員等の練度を上げることができる。
【００５３】
［第２の実施形態］
［１．構成動作］
第２の実施形態の受変電設備操作支援システム１の構成は、基本的には第１の実施形態と同じである。現場監視装置６の代わりに、または、現場監視装置６に加えて、モバイル端末２０を使用する。モバイル端末２０を現場に持ち込んで、開閉器３近傍のインタフェースに接続することによって、モバイル端末２０が現場監視装置６と同様な機能を果たすように構成される。
【００５４】
［２．作用効果］
以上のような本実施形態の作用効果について説明する。受変電設備操作支援システム１は、中央監視設備５とは別に開閉器３の近傍に配置されたインタフェースに接続されたモバイル端末を有する。モバイル端末は、受変電設備２上の開閉器３および電圧検出装置４から開閉器３の接続状態および引出状態並びに電圧検出装置４の電圧検出状態のパラメータを取得して演算し、受変電設備２上の開閉器３で区切られた回路単位の電圧の有無を判別する演算部と、この演算部が判別した受変電設備２上の開閉器３で区切られた回路単位の電圧の有無を表示する表示部とを有する。
【００５５】
したがって、受変電設備２の各部に現場監視装置６が無くても、モバイル端末を持ち込んで、接続して、現場監視装置６と同様に機能させることができるので、現場監視装置６を受変電設備２の各部に設置することが不要になり、コスト削減を図ることができる。また、現場監視装置６を設置していない箇所にも、モバイル端末を持ち込んで、その機能を果たすことができるので、利便性が高まる。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１・・・受変電設備操作支援システム
２・・・受変電設備
３・・・開閉器
４・・・電圧検出装置
５・・・中央監視設備
６・・・現場監視装置
６４・・・演算部
【図１】
0006659296.tif 000003
【図２】
0006659296.tif 000004
【図３】
0006659296.tif 000005
【図４】
0006659296.tif 000006
【図５】
0006659296.tif 000007
【図６】
0006659296.tif 000008
【図７】
0006659296.tif 000009
【図８】
0006659296.tif 000010
【図９】
0006659296.tif 000011
【図１０】
0006659296.tif 000012
【図１１】
0006659296.tif 000013
【図１２】
0006659296.tif 000014